(57)【要約】【課題】複数の観察光源下で印刷機による印刷物に見える色味変化をより忠実に再現可能な色分版ルックアップテーブルを生成する技術を提供する。【解決手段】印刷物３５０を観察する複数の観察光源Ｌ０のそれぞれについて、印刷機（３００）で印刷物３５０の形成に使用される第一の色材ＣＬ１の使用量と、印刷物３５０に形成される前記使用量の第一の色材ＣＬ１の前記観察光源Ｌ０におけるターゲット色彩値と、の対応関係を規定した印刷色プロファイル（ＰＲ０）を取得し、複数の観察光源Ｌ０について印刷色プロファイル（ＰＲ０）に規定されたターゲット色彩値への近似性を評価する評価値Ｉ（φ）に基づいて、色再現画像１６０に形成される第二の色材ＣＬ２の色彩値が観察光源Ｌ０毎に前記ターゲット色彩値に近似するように第二の色材ＣＬ２の使用量を予測し、第一の色材ＣＬ１の使用量と、予測された第二の色材ＣＬ２の使用量と、を対応付けて色分版ＬＵＴ２００を生成する。【選択図】図３
2015032974.tif 000002
【特許請求の範囲】
【請求項１】
印刷機で印刷物の形成に使用される第一の色材の使用量と、画像形成装置で色再現画像の形成に使用される第二の色材の使用量と、の対応関係を規定した色分版ルックアップテーブルを生成する色分版ルックアップテーブル生成装置であって、
前記印刷物を観察する複数の観察光源のそれぞれについて、前記第一の色材の使用量と、前記印刷物に形成される前記使用量の前記第一の色材の前記観察光源におけるターゲット色彩値と、の対応関係を規定した印刷色プロファイルを取得する印刷色プロファイル取得部と、
前記複数の観察光源について前記印刷色プロファイルに規定されたターゲット色彩値への近似性を評価する評価値に基づいて、前記色再現画像に形成される前記第二の色材の色彩値が前記観察光源毎に前記ターゲット色彩値に近似するように前記第二の色材の使用量を予測する予測部と、
前記第一の色材の使用量と、予測された前記第二の色材の使用量と、を対応付けて前記色分版ルックアップテーブルを生成する生成部と、を備えた色分版ルックアップテーブル生成装置。
【請求項２】
前記印刷物を観察する複数の観察光源の選択を受け付ける観察光源選択部を備えた、請求項１に記載の色分版ルックアップテーブル生成装置。
【請求項３】
前記印刷色プロファイル取得部は、前記予測部に用いられる印刷色プロファイルに規定される入力点の数よりも少ない数の入力点について前記第一の色材の使用量と前記ターゲット色彩値との対応関係を規定した元印刷色プロファイルを取得し、該元印刷色プロファイルに基づいて前記印刷色プロファイルの入力点のターゲット色彩値を補間することにより前記印刷色プロファイルを取得する、請求項１又は請求項２に記載の色分版ルックアップテーブル生成装置。
【請求項４】
前記予測部は、前記観察光源に設定された重み付けを前記ターゲット色彩値への近似性の評価に適用して前記第二の色材の使用量を予測する、請求項１〜請求項３のいずれか一項に記載の色分版ルックアップテーブル生成装置。
【請求項５】
前記ターゲット色彩値への近似性の評価に対する重み付けの入力を受け付ける重み付け入力部を備えた、請求項４に記載の色分版ルックアップテーブル生成装置。
【請求項６】
前記印刷色プロファイルに規定される前記ターゲット色彩値の修正を受け付けるターゲット色彩値修正部を備えた、請求項１〜請求項５のいずれか一項に記載の色分版ルックアップテーブル生成装置。
【請求項７】
前記ターゲット色彩値修正部は、
前記複数の観察光源に含まれる第一光源についての前記印刷色プロファイルに規定される前記ターゲット色彩値の第一修正値の入力を受け付け、
修正前の前記第一光源についての印刷色プロファイルに従って前記第一修正値から前記第一の色材の変換使用量を求め、
前記複数の観察光源から前記第一光源を除いた第二光源についての前記印刷色プロファイルに従って前記変換使用量から前記ターゲット色彩値の第二修正値を求め、
前記第一光源についての印刷色プロファイルに規定される前記ターゲット色彩値に前記第一修正値を適用し、
前記第二光源についての印刷色プロファイルに規定される前記ターゲット色彩値に前記第二修正値を適用する、請求項６に記載の色分版ルックアップテーブル生成装置。
【請求項８】
前記第一の色材は、第三の色材と、該第三の色材の色に合わせて置き換え可能な第四の色材と、を含み、
前記ターゲット色彩値修正部は、前記第一の色材の変換使用量を求める際、前記第三の色材の使用量を保持する、請求項７に記載の色分版ルックアップテーブル生成装置。
【請求項９】
印刷機で印刷物の形成に使用される第一の色材の使用量と、画像形成装置で色再現画像の形成に使用される第二の色材の使用量と、の対応関係を規定した色分版ルックアップテーブルを生成する色分版ルックアップテーブル生成方法であって、
前記印刷物を観察する複数の観察光源のそれぞれについて、前記第一の色材の使用量と、前記印刷物に形成される前記使用量の前記第一の色材の前記観察光源におけるターゲット色彩値と、の対応関係を規定した印刷色プロファイルを取得する印刷色プロファイル取得工程と、
前記複数の観察光源について前記印刷色プロファイルに規定されたターゲット色彩値への近似性を評価する評価値に基づいて、前記色再現画像に形成される前記第二の色材の色彩値が前記観察光源毎に前記ターゲット色彩値に近似するように前記第二の色材の使用量を予測する予測工程と、
前記第一の色材の使用量と、予測された前記第二の色材の使用量と、を対応付けて前記色分版ルックアップテーブルを生成する生成工程と、を含む色分版ルックアップテーブル生成方法。
【請求項１０】
請求項９に記載の色分版ルックアップテーブル生成方法により生成された色分版ルックアップテーブルに従って、前記印刷物の形成に使用される第一の色材の使用量を前記第二の色材の使用量に変換し、得られる第二の色材の使用量に従って前記色再現画像を形成する、画像形成装置。
【発明の詳細な説明】
【技術分野】
【０００１】
本発明は、色分版ルックアップテーブル生成装置、色分版ルックアップテーブル生成方法、及び、画像形成装置に関する。
【背景技術】
【０００２】
印刷本機を使用する前に印刷本機で形成される印刷物の色味等を確認するため、印刷プルーフ機でプルーフを形成して確認することが行われている。
【０００３】
なお、特許文献１には、観察光源に依存しない安定した色の見えを実現する最適インク量を算出する色設計技術が開示されている。
特許文献２には、スキャナーの機器特性に依存したＲＧＢ（赤、緑、青）色空間の色データをＣＭＹＫｌｃｌｍ（シアン、マゼンタ、イエロー、ブラック、ライトシアン、ライトマゼンタ）インクのインク量ｄc，ｄm，ｄy，ｄk，ｄlc，ｄlmに変換する色変換ＬＵＴ（ルックアップテーブル）を生成する技術が開示されている。
【先行技術文献】
【特許文献】
【０００４】
【特許文献１】特表２００７−５１１１７５号公報
【特許文献２】特開２００９−２００８２０号公報
【発明の概要】
【発明が解決しようとする課題】
【０００５】
印刷本機にオフセット印刷機やグラビア印刷機を用いる場合、ＣＭＹＫのみといった少ないインク色数で印刷物が形成されるため、印刷物の色味が観察光源に依存して転び易い（変わり易い）傾向にある。このような色味の転びは、色として重要なグレーの再現に生じ易い。
以上のことから、複数の観察光源下で印刷本機の印刷物に見える色味変化をより忠実に再現することが求められる。
【０００６】
特許文献１に記載の技術は、観察光源非依存の安定した色の見えを実現するものであるため、印刷本機で形成される印刷物に見える種々の観察光源下の色味変化を再現することに適用することができない。
特許文献２に記載の技術は、入力がスキャナーの機器特性に依存したＲＧＢ色空間の色データであるため、印刷本機で使用されるＣＭＹＫといったインクの使用量を表すデータを印刷プルーフ機で使用されるインクの使用量を表すデータに変換する色分版ＬＵＴの生成に適用することができない。また、特許文献２に記載の技術は、入力がＲＧＢ色空間の３次元色情報のみであるため、入力がＣＭＹＫ色空間の４次元色情報である場合、Ｋの発生量毎に３次元ＬＵＴを生成する必要がある。
【０００７】
なお、上記のような問題は、オフセット印刷機及びグラビア印刷機のための色分版ＬＵＴを生成する技術に限らず、種々の技術についても同様に存在する。
【０００８】
以上を鑑み、本発明の目的の一つは、複数の観察光源下で印刷機による印刷物に見える色味変化をより忠実に再現可能な色分版ルックアップテーブルを生成する技術を提供することにある。
【課題を解決するための手段】
【０００９】
上記目的の一つを達成するため、本発明は、印刷機で印刷物の形成に使用される第一の色材の使用量と、画像形成装置で色再現画像の形成に使用される第二の色材の使用量と、の対応関係を規定した色分版ルックアップテーブルを生成する色分版ルックアップテーブル生成装置であって、
前記印刷物を観察する複数の観察光源のそれぞれについて、前記第一の色材の使用量と、前記印刷物に形成される前記使用量の前記第一の色材の前記観察光源におけるターゲット色彩値と、の対応関係を規定した印刷色プロファイルを取得する印刷色プロファイル取得部と、
前記複数の観察光源について前記印刷色プロファイルに規定されたターゲット色彩値への近似性を評価する評価値に基づいて、前記色再現画像に形成される前記第二の色材の色彩値が前記観察光源毎に前記ターゲット色彩値に近似するように前記第二の色材の使用量を予測する予測部と、
前記第一の色材の使用量と、予測された前記第二の色材の使用量と、を対応付けて前記色分版ルックアップテーブルを生成する生成部と、を備えた態様を有する。
【００１０】
また、本発明は、印刷機で印刷物の形成に使用される第一の色材の使用量と、画像形成装置で色再現画像の形成に使用される第二の色材の使用量と、の対応関係を規定した色分版ルックアップテーブルを生成する色分版ルックアップテーブル生成方法であって、
前記印刷物を観察する複数の観察光源のそれぞれについて、前記第一の色材の使用量と、前記印刷物に形成される前記使用量の前記第一の色材の前記観察光源におけるターゲット色彩値と、の対応関係を規定した印刷色プロファイルを取得する印刷色プロファイル取得工程と、
前記複数の観察光源について前記印刷色プロファイルに規定されたターゲット色彩値への近似性を評価する評価値に基づいて、前記色再現画像に形成される前記第二の色材の色彩値が前記観察光源毎に前記ターゲット色彩値に近似するように前記第二の色材の使用量を予測する予測工程と、
前記第一の色材の使用量と、予測された前記第二の色材の使用量と、を対応付けて前記色分版ルックアップテーブルを生成する生成工程と、を含む態様を有する。
【００１１】
上記観察光源毎の印刷色プロファイルは、印刷機で印刷物の形成に使用される第一の色材の使用量と、前記印刷物に形成される前記使用量の前記第一の色材の前記観察光源におけるターゲット色彩値と、の対応関係が規定されている。前記複数の観察光源について印刷色プロファイルに規定されたターゲット色彩値への近似性を評価する評価値に基づいて、色再現画像に形成される第二の色材の色彩値が前記観察光源毎に前記ターゲット色彩値に近似するように第二の色材の使用量が予測される。生成される色分版ルックアップテーブルは、前記第一の色材の使用量と、予測された前記第二の色材の使用量と、が対応付けられている。従って、上述した態様は、複数の観察光源下で印刷機による印刷物に見える色味変化をより忠実に再現可能な色分版ルックアップテーブルを生成する色分版ルックアップテーブル生成装置、及び、色分版ルックアップテーブル生成方法を提供することができる。また、色分版ルックアップテーブル生成方法により製造される色分版ルックアップテーブル、及び、色分版ルックアップテーブルを記録したコンピューター読み取り可能な媒体は、新規である。
【００１２】
ここで、上記第一の色材は、印刷機で印刷物の形成に使用される色材であればよく、ＣＭＹＫといった４色を組み合わせた色材の他、５色以上を組み合わせた色材、及び、３色以下を組み合わせた色材が含まれる。上記第二の色材は、画像形成装置で色再現画像の形成に使用される色材であればよく、５色以上を組み合わせた色材の他、４色以下を組み合わせた色材が含まれる。
【００１３】
ところで、印刷物を観察する複数の観察光源は予め設定されてもよいが、前記印刷物を観察する複数の観察光源の選択を受け付ける観察光源選択部が色分版ルックアップテーブル生成装置に設けられてもよい。この態様は、ユーザーの意向に応じて観察光源を選択することができるので、利便性を向上させることができる。
【００１４】
前記印刷色プロファイル取得部は、前記予測部に用いられる印刷色プロファイルに規定される入力点の数よりも少ない数の入力点について前記第一の色材の使用量と前記ターゲット色彩値との対応関係を規定した元印刷色プロファイルを取得し、該元印刷色プロファイルに基づいて前記印刷色プロファイルの入力点のターゲット色彩値を補間することにより前記印刷色プロファイルを取得してもよい。この態様は、印刷色プロファイルに既知でないターゲット色彩値があっても複数の観察光源下で見える色味変化をより忠実に再現可能な色分版ルックアップテーブルを生成することができる。
【００１５】
ターゲット色彩値への近似性の評価は複数の観察光源について均等に行ってもよいが、前記予測部は、前記観察光源に設定された重み付けを前記ターゲット色彩値への近似性の評価に適用して前記第二の色材の使用量を予測してもよい。この態様は、ユーザーの意向をより反映させた色味変化を再現可能な色分版ルックアップテーブルを生成することができる。
上記重み付けには、ターゲット色彩値と色再現画像の色彩値との色差に乗じる係数、評価値に基づいて第二の色材の使用量を予測する処理を終了する条件に対する重み付け、等が含まれる。
【００１６】
上記重み付けは予め設定されてもよいが、前記ターゲット色彩値への近似性の評価に対する重み付けの入力を受け付ける重み付け入力部が色分版ルックアップテーブル生成装置に設けられてもよい。この態様は、ユーザーの意向をさらに反映させた色味変化を再現可能な色分版ルックアップテーブルを生成することができる。
【００１７】
また、色分版ルックアップテーブル生成装置は、前記印刷色プロファイルに規定される前記ターゲット色彩値の修正を受け付けるターゲット色彩値修正部を備えもよい。この態様は、ユーザーの意向に応じてターゲット色彩値を修正することができるので、利便性を向上させることができる。
【００１８】
前記ターゲット色彩値修正部は、
前記複数の観察光源に含まれる第一光源についての前記印刷色プロファイルに規定される前記ターゲット色彩値の第一修正値の入力を受け付け、
修正前の前記第一光源についての印刷色プロファイルに従って前記第一修正値から前記第一の色材の変換使用量を求め、
前記複数の観察光源から前記第一光源を除いた第二光源についての前記印刷色プロファイルに従って前記変換使用量から前記ターゲット色彩値の第二修正値を求め、
前記第一光源についての印刷色プロファイルに規定される前記ターゲット色彩値に前記第一修正値を適用し、
前記第二光源についての印刷色プロファイルに規定される前記ターゲット色彩値に前記第二修正値を適用してもよい。この場合、第一光源についての印刷色プロファイルに規定されるターゲット色彩値を修正するだけで第二光源についての印刷色プロファイルに規定されるターゲット色彩値も修正される。従って、本態様は、第一光源下での色再現画像の見えを考慮しながら第二光源下での色再現画像の見えも合わせることが可能な色分版ルックアップテーブルを生成する好適な色分版ルックアップテーブル生成装置を提供することができる。
【００１９】
前記第一の色材は、第三の色材と、該第三の色材の色に合わせて置き換え可能な第四の色材と、を含んでもよい。前記ターゲット色彩値修正部は、前記第一の色材の変換使用量を求める際、前記第三の色材の使用量を保持してもよい。この場合、第一の色材に第三の色材と該第三の色材の色に合わせて置き換え可能な第四の色材とが含まれていても、容易に第一の色材の変換使用量を求めることができる。従って、本態様は、複数の観察光源下で見える色味変化をより忠実に再現可能な色分版ルックアップテーブルを生成する好適な色分版ルックアップテーブル生成装置を提供することができる。
【００２０】
さらに、本発明の画像形成装置は、上述した色分版ルックアップテーブル生成装置及び色分版ルックアップテーブル生成方法により生成された色分版ルックアップテーブルに従って、前記印刷物の形成に使用される第一の色材の使用量を前記第二の色材の使用量に変換し、得られる第二の色材の使用量に従って前記色再現画像を形成する、態様を有する。この態様は、複数の観察光源下で印刷機による印刷物に見える色味変化をより忠実に再現した色再現画像を形成可能な画像形成装置を提供することができる。
【００２１】
さらに、本発明は、色分版ルックアップテーブル、色分版ルックアップテーブルに従って第一の色材の使用量を第二の色材の使用量に変換する変換装置、色分版ルックアップテーブルを搭載した印刷制御装置及び印刷装置、画像形成装置を備えた画像形成システム、前述の装置又はシステムの各部に対応した機能をコンピューターに実現させるプログラム、該プログラムを記録したコンピューター読み取り可能な媒体、前記プログラムに対応した方法、等に適用可能である。前述の装置及びシステムは、分散した複数の部分で構成されてもよい。
【図面の簡単な説明】
【００２２】
【図１】プルーフシステムＳＹ１の構成を模式的に例示する図。
【図２】色分版ルックアップテーブル生成装置Ｕ０を含むコンピューター１０の構成を模式的に例示するブロック図。
【図３】色分版ルックアップテーブル生成処理を例示するフローチャート。
【図４】ターゲット色彩値修正処理を例示するフローチャート。
【図５】元色変換ルックアップテーブルデータベースＤＢ１の構造を模式的に例示する図。
【図６】元色変換ルックアップテーブルの生成方法例を模式的に説明するための図。
【図７】印刷色プロファイルの構造を模式的に例示する図。
【図８】設定画面５００を例示する図。
【図９】観察光源毎の印刷色プロファイルの構造を模式的に例示する図。
【図１０】分光反射率に基づいて色彩値を算出するための計算例を説明する図。
【図１１】インク量セットを最適化する処理の流れを模式的に例示する図。
【図１２】インク量セットが最適化されていく様子を模式的に例示する図。
【図１３】種々の色分版ルックアップテーブルの構造を模式的に例示する図。
【図１４】画像形成装置で行われる色再現画像出力制御処理を例示するフローチャート。
【図１５】分光反射率データベースの構造を模式的に例示する図。
【図１６】分光ノイゲバウアモデルを模式的に例示する図。
【図１７】セル分割ユール・ニールセン分光ノイゲバウアモデルを模式的に例示する図。
【図１８】ターゲット色彩値を修正する様子を模式的に例示する図。
【発明を実施するための形態】
【００２３】
以下、本発明の実施形態を説明する。むろん、以下の実施形態は本発明を例示するものに過ぎず、実施形態に示す特徴の全てが発明の解決手段に必須になるとは限らない。
【００２４】
（１）プルーフシステムの概要：
図１は、印刷本機（印刷機）３００で形成される印刷物３５０のプルーフ１５０をプルーフ機（画像形成装置）１００で形成するプルーフシステムＳＹ１を模式的に例示している。印刷本機で直接、印刷物を形成して色味等を確認すると、高いコストがかかる。そこで、印刷物３５０を形成しなくても印刷物３５０上の印刷画像３６０の色味等を確認可能とするため、プルーフ機１００は、印刷物３５０の色再現画像１６０を形成する。本技術は、基準光源（例えばＤ５０光源）下での色階調性の良さを考慮しつつ、複数光源の分光分布データ（後述のＰ（λ））と印刷本機印刷物の分光反射率データを基に、ユーザー選択の複数光源における印刷本機印刷物の色転び程度を忠実に再現（メタメリックマッチング）できる色分版ＬＵＴ（ルックアップテーブル）を生成するものである。ＬＵＴとは、ルックアップテーブルの略である。
例えば、印刷業界では、実際の照明には無い分光分布を示すＤ５０光源が標準光源である。Ｄ５０光源下で印刷性能を見るため、標準のＤ５０光源で見たときの色精度を保証することは印刷機のプルーフ機として重要なことである。一方、印刷本機による印刷物やプルーフ機による色再現画像を実際に見る環境は、Ｄ５０光源とは異なる光源であることが想定され、Ｄ６５光源とＡ光源の混合環境といった複数の光源が混ざった環境も想定される。本技術は、標準光源下で印刷物に見える色味変化を考慮しつつ、実際に想定される光源で印刷物に見える色味変化にも追従して再現するという、メタメリックマッチングを実現する。
【００２５】
印刷本機（印刷機）３００には、オフセット印刷機、グラビア印刷機、等が含まれる。図１に示す印刷本機３００は、ＣＭＹＫ（シアン、マゼンタ、イエロー、ブラック）の第一の色材ＣＬ１を使用して被印刷物Ｍ１に印刷画像３６０を形成する。なお、第一の色材ＣＬ１は、Ｋの色材（第三の色材ＣＬ３）と、この色材ＣＬ３の色（Ｋ）に合わせて置き換え可能なＣＭＹの色材（第四の色材ＣＬ４）と、を含む。
【００２６】
プルーフ機（画像形成装置）１００には、インクジェットプリンター、ワイヤドットプリンター、レーザープリンター、ラインプリンター、複写機、ファクシミリ、これらの一部を組み合わせた複合機、等が含まれる。図１に示すプルーフ機１００は、ＣＭＹＫｌｃｌｍの第二の色材ＣＬ２を使用して被印刷物Ｍ２に色再現画像１６０を形成する。ライトシアン（ｌｃ）は、シアンと同系統の色相でシアンよりも明度が高い色である。ライトマゼンタ（ｌｍ）は、マゼンタと同系統の色相でマゼンタよりも明度が高い色である。むろん、第二の色材ＣＬ２は、ＣＭＹＫＯｒＧｒの色材等でもよい。オレンジ（Ｏｒ）やグリーン（Ｇｒ）は、ＣＭＹに置き換え可能な色である。図１に示すプルーフ機１００は、色分版ＬＵＴ２００に従って、ＣＭＹＫの第一の色材ＣＬ１の各使用量Ｄｃ，Ｄｍ，Ｄｙ，ＤｋをＣＭＹＫｌｃｌｍの第二の色材ＣＬ２の各使用量ｄc，ｄm，ｄy，ｄk，ｄlc，ｄlmに変換し、得られる使用量ｄc，ｄm，ｄy，ｄk，ｄlc，ｄlmに従って色再現画像１６０を形成する。インク使用量を被印刷物Ｍ２上のドットに変換する場合、各使用量ｄc，ｄm，ｄy，ｄk，ｄlc，ｄlmを表す階調データに対してディザ法や誤差拡散法や濃度パターン法といった所定のハーフトーン処理を行って前記階調データの階調数を減らし、得られる多値データに従ってインク滴を吐出して被印刷物Ｍ２上にインクドットを形成する。多値データは、ドットの形成状況を表すデータであり、ドットの形成有無を表す２値データでもよいし、大中小の各ドットといった異なるサイズのドットに対応可能な３階調以上の多値データでもよい。得られる色再現画像は、被印刷物Ｍ２上のドットの形成状況で表現される。
【００２７】
印刷画像３６０や色再現画像１６０は、観察光源Ｌ０の種類によって色味が変わってくる。ここで、符号Ｌ０は、個々の光源Ｌ１〜Ｌ３を総称するときに使用する。規格化された観察光源Ｌ０には、Ｄ５０光源、Ｄ５５光源、Ｄ６５光源、Ｄ７５光源、Ａ光源、Ｆ２光源、Ｆ７光源、Ｆ１０光源、Ｆ１１光源、等が含まれる。色味の変化は、色材の種類にも依存する。例えば、Ｄ５０光源Ｌ１下で印刷画像３６０と色再現画像１６０との色味が合っていても、Ｄ６５光源Ｌ２下やＡ光源Ｌ３下では印刷画像３６０と色再現画像１６０との色味が合わないことがある。一方で、印刷画像や色再現画像を観察する光源の条件は、一定とは限らない。従って、色再現画像を見るための観察光源の条件設定がプルーフ機のユーザーにとって重要となる。
【００２８】
なお、特表2007-511175号公報は、観察光源に依存しない安定した色の見えを実現するインク量決定方法を開示している。しかし、インクジェットプリンターと比較して、一般に、オフセット印刷機やグラビア印刷機といった印刷本機ではより少ない色数のインクで印刷が行われるため、観察光源に依存して印刷画像の色味が転ぶ（変わる）傾向にある。特に、グレーを表現する場合には、観察光源に依存した色味の転びが生じ易い。従って、前記インク量決定方法は、色設計（ＬＵＴ設計）が不適切になってしまう課題がある。
一方、本明細書の色分版ＬＵＴ生成技術は、印刷本機で形成される印刷画像をより忠実に色再現するものである。観察光源に依存する印刷画像をなるべく忠実に再現することを、メタメリックマッチングと呼んでいる。上記インク量決定方法が実現しようとする観察光源非依存の色設計は、印刷プルーフ機の役割において印刷画像をより忠実に色再現するというメタメリックマッチングの目標を達成することができない。
【００２９】
（２）色分版ルックアップテーブル生成装置の概要：
図２は、色分版ＬＵＴ（ルックアップテーブル）生成装置Ｕ０を含むコンピューター１０の構成を例示している。コンピューター１０では、ＣＰＵ（Central Processing Unit）１１、ＲＡＭ（Random Access Memory）１２、ＲＯＭ（Read Only Memory）１３、ハードディスクドライブ（ＨＤＤ）１４、汎用インターフェイス（ＧＩＦ）１５、ビデオインターフェイス（ＶＩＦ）１６、入力インターフェイス（ＩＩＦ）１７、等がバス１８に接続されて互いに情報を入出力可能とされている。ＨＤＤ１４には、オペレーティングシステム（ＯＳ）及び色分版ＬＵＴ生成プログラムを含む各種プログラムを実行するためのプログラムデータ１４ａ、元色変換ＬＵＴデータベースＤＢ１、色分版ＬＵＴデータベースＤＢ２、等が記憶されている。ＣＰＵ１１は、プログラムデータ１４ａを適宜ＲＡＭ１２へ読み出し、プログラムデータ１４ａに従ってコンピューター１０全体を制御する。色分版ＬＵＴ生成プログラムは、色分版ＬＵＴ生成装置Ｕ０の各部Ｕ１〜Ｕ６に対応した機能をコンピューター１０に実現させ、コンピューター１０を色分版ＬＵＴ生成装置Ｕ０として機能させる。
【００３０】
ＧＩＦ １５には、画像形成装置であり画像出力装置であるプリンター２０、測色機やスキャナーといった画像入力装置３０、等が接続される。ＧＩＦ １５には、ＵＳＢ（Universal Serial Bus）等を採用することができる。プリンター２０は、プルーフ機１００でもよいし、プルーフ機１００でなくてもよい。ＶＩＦ １６には、画像出力装置であるディスプレイ４０等が接続される。ＩＩＦ １７には、操作入力装置５０であるキーボード５０ａ、同じく操作入力装置５０であるポインティングデバイス５０ｂ、等が接続される。ポインティングデバイス５０ｂには、マウス等を用いることができる。
【００３１】
上記コンピューター１０に例示される色分版ＬＵＴ生成装置Ｕ０は、基本要素として、印刷色プロファイル取得部Ｕ１、予測部Ｕ２、及び、生成部Ｕ３を備えている。この色分版ＬＵＴ生成装置Ｕ０は、印刷機（３００）で印刷物３５０の形成に使用される第一の色材ＣＬ１の使用量（例えばＤｃ，Ｄｍ，Ｄｙ，Ｄｋ）と、画像形成装置（１００）で色再現画像１６０の形成に使用される第二の色材ＣＬ２の使用量（例えばｄc，ｄm，ｄy，ｄk，ｄlc，ｄlm）と、の対応関係を規定した色分版ＬＵＴ２００を生成する。印刷色プロファイル取得部Ｕ１は、印刷物３５０を観察する複数の観察光源Ｌ０のそれぞれについて、第一の色材ＣＬ１の使用量（例えばＤｃ，Ｄｍ，Ｄｙ，Ｄｋ）と、印刷物３５０に形成される前記使用量（例えばＤｃ，Ｄｍ，Ｄｙ，Ｄｋ）の第一の色材ＣＬ１の観察光源Ｌ０におけるターゲット色彩値（例えばＬ*ａ*ｂ*値）と、の対応関係を規定した印刷色プロファイル（色変換ＬＵＴ ＰＲ０）を取得する。予測部Ｕ２は、複数の観察光源Ｌ０について印刷色プロファイル（ＰＲ０）に規定されたターゲット色彩値（例えばＬ*ａ*ｂ*値）への近似性を評価する評価値Ｉ（後述）に基づいて、色再現画像１６０に形成される第二の色材ＣＬ２の色彩値（例えばＬ*ａ*ｂ*値）が観察光源Ｌ０毎にターゲット色彩値に近似するように第二の色材ＣＬ２の使用量を予測する。生成部Ｕ３は、第一の色材ＣＬ１の使用量（例えばＤｃ，Ｄｍ，Ｄｙ，Ｄｋ）と、予測された第二の色材ＣＬ２の使用量（例えばｄc，ｄm，ｄy，ｄk，ｄlc，ｄlm）と、を対応付けて色分版ＬＵＴ２００を生成する。
【００３２】
ここで、印刷色プロファイル（ＰＲ０）に規定されたターゲット色彩値、及び、色再現画像１６０に形成される第二の色材ＣＬ２の色彩値は、デバイス非依存の色空間（機器独立色空間）、且つ、均等色空間の色彩値が好ましいものの、デバイス依存の色空間（機器従属色空間）の色彩値にすることも可能であるし、均等色空間でない色空間の色彩値にすることも可能である。デバイス非依存の均等色空間は、ＣＩＥ（国際照明委員会）Ｌ*ａ*ｂ*色空間の他、ＣＩＥ Ｌ*ｕ*ｖ*色空間等でもよい。Ｌ*ａ*ｂ*色空間のＬ*は明度を表し、ａ*及びｂ*は色相及び彩度を示す色度を表す。
【００３３】
図２に示す色分版ＬＵＴ生成装置Ｕ０は、さらに、観察光源選択部Ｕ４、重み付け入力部Ｕ５、及び、ターゲット色彩値修正部Ｕ６を備える。観察光源選択部Ｕ４は、印刷物３５０を観察する複数の観察光源Ｌ０の選択を受け付ける。重み付け入力部Ｕ５は、印刷色プロファイル（ＰＲ０）に規定されたターゲット色彩値への近似性の評価に対する重み付けの入力を受け付ける。予測部Ｕ２は、観察光源Ｌ０に設定された重み付けをターゲット色彩値への近似性の評価に適用して第二の色材ＣＬ２の使用量を予測する。ターゲット色彩値修正部Ｕ６は、印刷色プロファイル（ＰＲ０）に規定されるターゲット色彩値の修正を受け付ける。
【００３４】
（３）色分版ルックアップテーブル生成処理の例の説明：
図３は、コンピューター１０（色分版ＬＵＴ生成装置Ｕ０）で行われる色分版ＬＵＴ生成処理のフローチャートを例示している。図４は、ステップＳ１１４のターゲット色彩値修正処理のフローチャートを例示している。以下、「ステップ」の記載を省略する。ここで、観察光源選択部Ｕ４が観察光源選択工程に対応したＳ１０３の処理を行い、重み付け入力部Ｕ５が重み付け入力工程に対応したＳ１０４の処理を行い、印刷色プロファイル取得部Ｕ１が印刷色プロファイル取得工程に対応したＳ１０６〜Ｓ１１０の処理を行い、ターゲット色彩値修正部Ｕ６がターゲット色彩値修正工程に対応したＳ１１２〜Ｓ１１４の処理を行い、予測部Ｕ２が予測工程に対応したＳ１１６〜Ｓ１１８の処理を行い、生成部Ｕ３が生成工程に対応したＳ１２０〜Ｓ１２２の処理を行う。
【００３５】
（３−１）元印刷色プロファイルの生成例：
色分版ＬＵＴ生成処理を行うためには、図７，９に例示する色変換ＬＵＴ（印刷色プロファイル）ＰＲ０を生成するための元色変換ＬＵＴ（元印刷色プロファイル）ＰＢ０（図５参照）を各観察光源Ｌ０について準備しておく必要がある。ここで、符号ＰＢ０は、個々の元色変換ＬＵＴ ＰＢ１，ＰＢ２，ＰＢ３，ＰＢ４を総称するときに使用する。符号ＰＲ０は、個々の色変換ＬＵＴ ＰＲ１，ＰＲ２，ＰＲ３（図９参照）を総称するときに使用する。以下、第一の色材ＣＬ１としてＣＭＹＫの色材を例示し、第二の色材としてＣＭＹＫｌｃｌｍの色材を例示し、色彩値としてＬ*ａ*ｂ*色空間のＬ*ａ*ｂ*値を例示する。
【００３６】
図５は、観察光源Ｌ０毎の元色変換ＬＵＴ ＰＢ０を格納した元色変換ＬＵＴデータベースＤＢ１の構造を模式的に例示している。図６は、元色変換ＬＵＴ ＰＢ０の生成方法例を模式的に説明するための図である。
元色変換ＬＵＴ ＰＢ０は、複数の観察光源Ｌ０のそれぞれについて、第一の色材ＣＬ１の使用量Ｄｃ，Ｄｍ，Ｄｙ，Ｄｋと、印刷物３５０に形成される前記使用量Ｄｃ，Ｄｍ，Ｄｙ，Ｄｋの第一の色材ＣＬ１の観察光源Ｌ０におけるターゲット色彩値ＬD，ａD，ｂDと、の対応関係を規定した元印刷色プロファイルである。色変換ＬＵＴ ＰＲ０、ひいては色分版ＬＵＴ２００に必要な入力点（格子点）は、ＣＭＹＫそれぞれの複数段階の使用量について設けられるため、膨大な数となる。例えば、ＣＭＹＫそれぞれの使用量についてＮｇ段階の入力点を設ける場合、入力点数はＮｇ4個となる。Ｎ＝１７である場合、入力点数は１７4＝８３５２１個となる。８３５２１個ものパッチ（色票）を印刷本機で印刷して測色するのは、大変な作業となる。そこで、色変換ＬＵＴ ＰＲ０の入力点の数Ｎ１（Ｎ１は正の整数）よりも少ないＮ２個（Ｎ２はＮ１よりも小さい正の整数）の元色変換ＬＵＴ ＰＢ０の入力点についてのみパッチを印刷本機で印刷して測色することにしている。
【００３７】
図７は、色変換ＬＵＴ ＰＲ０の構造を模式的に例示している。色変換ＬＵＴ ＰＲ０の入力はＣＭＹＫの４次元であるため、図示できない。そこで、図７では、ある１次元を１点に固定した３次元状に色変換ＬＵＴ ＰＲ０を示している。図中、黒丸は、元色変換ＬＵＴ ＰＢ０の入力点Ｇ２を表している。白丸は、前記入力点Ｇ２を除いた入力点を表している。図７に示す色変換ＬＵＴ ＰＲ０の入力点Ｇ１は、黒丸及び白丸で表されている。なお、元色変換ＬＵＴの入力点を除いた色変換ＬＵＴの入力点の色彩値は元色変換ＬＵＴの入力点の色彩値を補間することにより得ることができるため、色変換ＬＵＴの入力点に使用されない元色変換ＬＵＴの入力点が存在してもよい。
【００３８】
印刷本機３００は、図６に例示するように、元色変換ＬＵＴ ＰＢ０を作成するためのチャート印刷物３５１を形成する。印刷物３５１は、被印刷物Ｍ１にカラーチャート３６１を形成したものである。チャート３６１には、複数のパッチ３６２が２次元に並べられている。パッチ３６２は、色票とも呼ばれ、測色機８００による測色の単位となる領域を意味する。観察光源Ｌ０毎に元色変換ＬＵＴ ＰＢ０を生成する必要があるため、同じ印刷物３５１を用い観察光源を切り替えてチャート３６１を測色すればよい。
【００３９】
例えば、観察光源Ｌ０にＤ５０光源Ｌ１を用い各パッチ３６２を測色してＮ２組の色彩値ＬD-D50，ａD-D50，ｂD-D50をそれぞれ第一の色材の使用量Ｄｃ，Ｄｍ，Ｄｙ，Ｄｋに対応付けると、図５に示す元色変換ＬＵＴ ＰＢ１を生成することができる。元色変換ＬＵＴ ＰＢ１は、ＣＭＹＫの使用量Ｄｃ，Ｄｍ，Ｄｙ，Ｄｋと、該使用量Ｄｃ，Ｄｍ，Ｄｙ，ＤｋのＣＭＹＫのＤ５０光源におけるターゲット色彩値ＬD-D50，ａD-D50，ｂD-D50と、のＮ２組の対応関係を規定した元印刷色プロファイルである。また、観察光源Ｌ０にＤ６５光源Ｌ２を用い各パッチ３６２を測色してＮ２組の色彩値ＬD-D65，ａD-D65，ｂD-D65をそれぞれ第一の色材の使用量Ｄｃ，Ｄｍ，Ｄｙ，Ｄｋに対応付けると、図５に示す元色変換ＬＵＴ ＰＢ２を生成することができる。観察光源Ｌ０にＡ光源Ｌ３を用い各パッチ３６２を測色してＮ２組の色彩値ＬD-A，ａD-A，ｂD-Aをそれぞれ第一の色材の使用量Ｄｃ，Ｄｍ，Ｄｙ，Ｄｋに対応付けると、図５に示す元色変換ＬＵＴ ＰＢ３を生成することができる。観察光源Ｌ０にＦ２光源を用い各パッチ３６２を測色してＮ２組の色彩値ＬD-F2，ａD-F2，ｂD-F2をそれぞれ第一の色材の使用量Ｄｃ，Ｄｍ，Ｄｙ，Ｄｋに対応付けると、図５に示す元色変換ＬＵＴ ＰＢ４を生成することができる。
【００４０】
（３−２）観察光源、重み付け、等の設定：
図３に示す色分版ＬＵＴ生成処理が開始すると、コンピューター１０は、メタメリックマッチングの条件設定を受け付ける（Ｓ１０２）。
図８は、コンピューター１０がディスプレイ４０に表示させる設定画面５００を例示している。設定画面５００には、印刷本機３００の種類選択欄５１１、被印刷物Ｍ１の種類選択欄５１２、観察光源Ｌ０の種類選択欄５２１〜５２３、観察光源Ｌ０の優先度選択欄５３１〜５３３、目標精度の表示欄５４１〜５４３、等が設けられている。コンピューター１０は、操作入力装置５０による選択欄５１１，５１２，５２１〜５２３，５３１〜５３３への操作を受け付け、前記選択欄から選択された項目を記憶する。
【００４１】
印刷本機の選択欄５１１では、オフセット印刷機、グラビア印刷機、といった複数の項目の中から印刷本機の種類が選択される。被印刷物の選択欄５１２では、コート紙、ケント紙、といった複数の項目の中から被印刷物の種類が選択される。選択欄５１１，５１２への操作を受け付けて選択された項目を記憶する処理は、基準印刷条件の選択を受け付けるＳ１０５の処理である。
【００４２】
観察光源の選択欄５２１〜５２３では、Ｄ５０光源、Ｄ６５光源、Ａ光源、Ｆ２光源、といった項目の中から観察光源の種類が選択される。各選択欄５２１〜５２３では、互いに異なる光源が選択されることが好ましい。第３の選択欄５２３では、光源が選択されなくてもよい。観察光源の選択欄は、４箇所以上設けられてもよいし、２箇所だけでもよい。選択欄５２１〜５２３への操作を受け付けて選択された項目を記憶する処理は、観察光源の選択を受け付けるＳ１０３の処理である。この処理は、ユーザーの意向に応じた観察光源の選択を可能にさせるので、利便性を向上させることができる。
【００４３】
優先度選択欄５３１〜５３３では、高、中、低、といった項目の中から観察光源の優先度が選択される。第１の優先度選択欄５３１で選択される優先度は第１の光源選択欄５２１で選択された観察光源の優先度であり、第２の優先度選択欄５３２で選択される優先度は第２の光源選択欄５２２で選択された観察光源の優先度であり、第３の優先度選択欄５３３で選択される優先度は第３の光源選択欄５２３で選択された観察光源の優先度である。選択欄５３１〜５３３のいずれかでは、優先度無しが選択されてもよい。優先度選択欄は、光源選択欄に合わせて４箇所以上設けられてもよいし、２箇所だけでもよい。優先度選択欄５３１〜５３３への操作を受け付けて選択された項目を記憶する処理は、ターゲット色彩値への近似性の評価に対する重み付けの入力を受け付けるＳ１０４の処理である。この処理は、ユーザーの意向に応じてターゲット色彩値への近似性の評価に対する重み付けを設定可能にするので、ユーザーの意向をさらに反映させた色味変化を再現可能な色分版ＬＵＴ２００の生成を可能にする。
【００４４】
目標精度の表示欄５４１〜５４３では、優先度と目標精度とを対応付けた目標精度テーブルＴ１に従って、優先度選択欄５３１〜５３３で選択された優先度に対応する目標精度を表示する。優先度高の目標精度１．００Ｉは後述する評価値Ｉを用いた予測処理においてターゲット色彩値への色差が１．００以下となったときに予測処理を終了することを意味し、優先度中の目標精度２．００Ｉはターゲット色彩値への色差が２．００以下となったときに予測処理を終了することを意味し、優先度中の目標精度３．００Ｉはターゲット色彩値への色差が３．００以下となったときに予測処理を終了することを意味する。
【００４５】
（３−３）印刷色プロファイルの取得例：
メタメリックマッチングの条件が設定されると、コンピューター１０は、４次元の色変換ＬＵＴ ＰＲ０の入力点（格子点）Ｇ１を設定する（Ｓ１０６）。ＣＭＹＫそれぞれの使用量について単純にＮｇ段階の入力点を設ける場合、Ｓ１０６の処理は、Ｎ１＝Ｎｇ4個のＣＭＹＫの各座標値をＲＡＭに格納する処理とすることができる。グレー軸周りや肌色領域等といった色の重要領域についてはより多くの入力点Ｇ１を設定してもよい。
【００４６】
Ｓ１０８では、Ｓ１０３で選択された観察光源のそれぞれについて第一の色材ＣＬ１の使用量とターゲット色彩値との対応関係を規定した入力点数Ｎ２（Ｎ２＜Ｎ１）の元色変換ＬＵＴ ＰＢ０を取得する。図５を参照して説明すると、元色変換ＬＵＴデータベースＤＢ１にＤ５０光源用ＬＵＴ ＰＢ１、Ｄ６５光源用ＬＵＴ ＰＢ２、Ａ光源用ＬＵＴ ＰＢ３、Ｆ２光源用ＬＵＴ ＰＢ４、等の元色変換ＬＵＴが格納され、Ｓ１０３でＤ５０，Ｄ６５，Ａ光源が選択された場合、Ｄ５０，Ｄ６５，Ａ光源用ＬＵＴ ＰＢ１，ＰＢ２，ＰＢ３が選択される。
【００４７】
色分版ＬＵＴ生成装置Ｕ０は、印刷本機に対するメタメリックマッチングを実現する際、デバイス依存の印刷色（ＣＭＹＫ）に対し、複数光源毎でのデバイス非依存の印刷再現色（色彩値）を予測する色補間演算装置を有している。より具体的には、前記色補間演算装置を用いることにより、有限数の印刷色（ＣＭＹＫ）に対し、実測した当該数の分光反射率の対応関係から、ユーザーが選択した光源数分の色変換ＬＵＴ（ＣＭＹＫから色彩値に変換するＬＵＴ）を生成する。Ｓ１１０では、Ｓ１０３で選択された観察光源数分、元色変換ＬＵＴ ＰＢ０に基づいて４次元の色変換ＬＵＴ ＰＲ０の入力点Ｇ１のターゲット色彩値を補間することにより色変換ＬＵＴ ＰＲ０を取得する。図３には、Ｄ５０，Ｄ６５，Ａ光源が選択された例として算出する光源数分のターゲット色彩値をＬ*ａ*ｂ*(D50)，Ｌ*ａ*ｂ*(D65)，Ｌ*ａ*ｂ*(A)と示している。
【００４８】
分かり易く説明するため、簡易な補間の例を説明する。例えば、ＭＹＫの使用量Ｄｍ，Ｄｙ，Ｄｋが同じでＣの使用量Ｄｃが異なる２点（Ｐ１，Ｐ２とする。）があり、ターゲット色彩値を求める点（Ｐ３とする。）がＰ１，Ｐ２間にあるものとする。入力点Ｐ１，Ｐ２，Ｐ３のＣの使用量をD1，D2，D3とし、入力点Ｐ１，Ｐ２，Ｐ３のターゲット色彩値を（L1，a1，b1），（L2，a2，b2），（L3，a3，b3）とすると、下記の式に従って入力点Ｐ３のターゲット色彩値L3，a3，b3を補間することができる。
【数１】
2015032974.tif 000003
Ｍの使用量Ｄｍのみが異なる場合、Ｙの使用量Ｄｙのみが異なる場合、及び、Ｋの使用量Ｄｋのみが異なる場合も、同様にしてターゲット色彩値L3，a3，b3を補間することができる。
【００４９】
精度良くターゲット色彩値を求めるためには、各パッチ３６２の分光反射率に基づいて入力点Ｐ３のターゲット色彩値L3，a3，b3を補間するなどして全ターゲット色彩値を求めていけばよい。
また、ＣＭＹＫの使用量Ｄｃ，Ｄｍ，Ｄｙ，Ｄｋのうち２色の使用量が同じ複数の入力点がある場合、面積補間等でターゲット色彩値L3，a3，b3を補間してもよい。ＣＭＹＫの使用量Ｄｃ，Ｄｍ，Ｄｙ，Ｄｋのうち１色の使用量が同じ複数の入力点がある場合、体積補間等でターゲット色彩値L3，a3，b3を補間してもよい。
【００５０】
図９は、上述した補間処理により得られる観察光源毎の色変換ＬＵＴ（印刷色プロファイル）ＰＲ０の構造を模式的に例示している。色変換ＬＵＴ ＰＲ０は、観察光源Ｌ０のそれぞれについて、第一の色材ＣＬ１の使用量Ｄｃ，Ｄｍ，Ｄｙ，Ｄｋと、印刷物３５０に形成される前記使用量Ｄｃ，Ｄｍ，Ｄｙ，Ｄｋの第一の色材ＣＬ１の観察光源Ｌ０下におけるターゲット色彩値ＬD，ａD，ｂDと、のＮ１組（Ｎ１＞Ｎ２）の対応関係が規定されている。Ｓ１０３でＤ５０，Ｄ６５，Ａ光源が選択された場合、Ｄ５０，Ｄ６５，Ａ光源用の色変換ＬＵＴ ＰＲ１〜ＰＲ３が生成される。例えば、Ｄ５０用ＬＵＴ ＰＲ１は、ＣＭＹＫの使用量Ｄｃ，Ｄｍ，Ｄｙ，Ｄｋと、該使用量Ｄｃ，Ｄｍ，Ｄｙ，ＤｋのＣＭＹＫのＤ５０光源におけるターゲット色彩値ＬD-D50，ａD-D50，ｂD-D50と、が対応付けられている。
【００５１】
特開2009-200820号公報記載の印刷システムは、既知であるカラーパッチのターゲット色彩値に対し忠実に再現するインク量を算出することを前提としている。ＣＭＹＫの色材で印刷する印刷本機のプルーフ機に対する色分版技術としては、入力格子点が４次元色情報であることと、既知でないカラーパッチの色彩値をターゲットとして設定する必要があること、の２つが必要である。従って、特開2009-200820号公報記載の技術では対応できない。
Ｓ１０６〜Ｓ１１０の処理により、印刷色プロファイル（ＰＲ０）に既知でないターゲット色彩値があっても複数の観察光源下で見える色味変化をより忠実に再現可能な色分版ＬＵＴ２００を生成することが可能となる。
【００５２】
なお、Ｓ１１２では、図８で示した光源選択欄５２１〜５２３で選択された複数の観察光源Ｌ０の中から選ばれる第一光源についての色変換ＬＵＴ ＰＲ０に規定されるターゲット色彩値ＬD，ａD，ｂDを修正するか否かを判断することにしている。この判断処理は、前記ターゲット色彩値ＬD，ａD，ｂDを修正するか否かを問い合わせる選択画面をディスプレイ４０に表示し、操作入力装置５０による前記選択画面への操作を受け付ける処理とすることができる。前記ターゲット色彩値ＬD，ａD，ｂDを修正する場合、コンピューター１０は、後述するターゲット色彩値修正処理を行い（Ｓ１１４）、処理をＳ１１６に進める。
【００５３】
（３−４）第二の色材の使用量を予測する例：
本色分版ＬＵＴ生成装置Ｕ０は、決定した光源数分のターゲット色彩値を同時に再現できるインク量をインク量の最適量探索手法（最適化アルゴリズム）で算出する。また、ユーザーの優先度を反映する評価関数を用いることで、色分版ＬＵＴが実現するメタメリックマッチング度合いを光源毎に調整することができる。まず、Ｓ１１６では、観察光源毎の色変換ＬＵＴ ＰＲ０のデータを最適インク量算出モジュール群に引き渡す。図３には、Ｄ５０，Ｄ６５，Ａ光源が選択された例として最適インク量算出モジュール群に引き渡す光源数分のターゲット色彩値をＬ*’ａ*’ｂ*’(D50)，Ｌ*’ａ*’ｂ*’(D65)，Ｌ*’ａ*’ｂ*’(A)と示している。
【００５４】
Ｓ１１８では、複数の観察光源Ｌ０について色変換ＬＵＴ ＰＲ０に規定されたターゲット色彩値ＬD，ａD，ｂDへの近似性を評価する評価値Ｉに基づいて、色再現画像１６０に形成されるＣＭＹＫｌｃｌｍの色材ＣＬ２の色彩値が観察光源毎にターゲット色彩値ＬD，ａD，ｂDに近似するようにＣＭＹＫｌｃｌｍの色材ＣＬ２の使用量を予測する。
【００５５】
図１０は、ある分光反射率を有するターゲット（パッチ）から複数の観察光源下でそれぞれ色彩値を得る様子を模式的に説明している。ターゲットの分光反射率Ｒt（λ）は、通常、図１０に示すように、全可視波長領域において均一でない分布を有している。各光源は、それぞれ異なる分光エネルギーＰ（λ）の分布を有している。ターゲットに光源を照射したときの各波長の反射光の分光エネルギーは、ターゲット分光反射率Ｒt（λ）と分光エネルギーＰ（λ）を各波長について掛け合わせた値となる。さらに、反射光の分光エネルギーのスペクトルに対して人間の分光感度特性に応じた等色関数ｘ（λ），ｙ（λ），ｚ（λ）をそれぞれ畳み込み積分し、係数ｋによって正規化することにより、３刺激値Ｘ，Ｙ，Ｚを得ることができる。
【数２】
2015032974.tif 000004
上記３刺激値Ｘ，Ｙ，Ｚを所定の変換式によって変換することにより、色彩値Ｌ*ａ*ｂ*を得ることができる。
【００５６】
図１０に示すように、光源毎に分光エネルギーＰ（λ）のスペクトルが異なるので、最終的に得られるターゲット色彩値も光源に応じて異なることとなる。
【００５７】
図１１は、ターゲット色彩値ＬD，ａD，ｂDと同様の色を再現可能なインク量セットφを算出する最適インク量算出モジュール群の処理の流れを模式的に例示している。第二の色材ＣＬ２がＣＭＹＫｌｃｌｍの色材である場合、インク量セットφは、吐出するＣＭＹＫｌｃｌｍインクの使用量ｄc，ｄm，ｄy，ｄk，ｄlc，ｄlmの組合せを意味する。
【００５８】
最適インク量算出モジュール群（予測部Ｕ２）は、インク量セット算出モジュール（ＩＣＭ）Ｐ３ａ１、分光反射率予測モジュール（ＲＰＭ）Ｐ３ａ２、色算出モジュール（ＣＣＭ）Ｐ３ａ３、評価値算出モジュール（ＥＣＭ）Ｐ３ａ４、を備える。
インク量セット算出モジュール（ＩＣＭ）Ｐ３ａ１は、入力がＣＭＹＫの色材使用量である４次元色変換ＬＵＴ ＰＲ０から一つの入力点Ｇ１を選択し、該入力点Ｇ１に対応付けられているターゲット色彩値ＬD，ａD，ｂDを取得する。この点は、入力がＲＧＢの画像出力である特開2009-200820号公報記載の印刷システムと大きく異なる。
分光反射率予測モジュール（ＲＰＭ）Ｐ３ａ２は、ＩＣＭ Ｐ３ａ１からのインク量セットφ、具体的にはインク使用量ｄc，ｄm，ｄy，ｄk，ｄlc，ｄlmの入力に応じて、当該インク量セットφに基づいてプルーフ機１００が印刷用紙といった被印刷物Ｍ２にインクを吐出させたときの分光反射率Ｒ（λ）を予測分光反射率Ｒs（λ）として予測する。インク量セットφを指定すれば被印刷物Ｍ２上における各インクドットの形成状態が予測できるため、ＲＰＭ Ｐ３ａ２は一意に予測分光反射率Ｒs（λ）を算出することができる。
【００５９】
ここで、図１４〜１７を参照して、ＲＰＭ Ｐ３ａ２に用いられる予測モデル（分光プリンティングモデル）を説明する。図１４には、プルーフ機１００の記録ヘッド２１を模式的に例示している。記録ヘッド２１は、ＣＭＹＫｌｃｌｍのインク毎に複数のノズル２１ａを備えている。プルーフ機１００は、ＣＭＹＫｌｃｌｍのインク毎の使用量をインク量セットφ（ｄc，ｄm，ｄy，ｄk，ｄlc，ｄlm）にする制御を行う。各ノズル２１ａから吐出されたインク滴は被印刷物Ｍ２上において多数のドットの集まりとなり、これによってインク量セットφ（ｄc，ｄm，ｄy，ｄk，ｄlc，ｄlm）に応じたインク被覆率の色再現画像１６０が被印刷物Ｍ２上に形成される。
【００６０】
ＲＰＭ Ｐ３ａ２に用いられる予測モデル（分光プリンティングモデル）は、任意のインク量セットφ（ｄc，ｄm，ｄy，ｄk，ｄlc，ｄlm）で印刷を行った場合の分光反射率Ｒ（λ）を予測分光反射率Ｒs（λ）として予測するものである。分光プリンティングモデルにおいては、インク量空間における複数の代表点についてカラーパッチを印刷し、その分光反射率Ｒ（λ）を分光反射率計によって測定することにより得られた分光反射率データベースＲＤＢを用意する。この分光反射率データベースＲＤＢを使用したセル分割ユール・ニールセン分光ノイゲバウアモデル(Cellular Yule-Nielsen Spectral Neugebauer Model)による予測を行うことにより、任意のインク量セットφで印刷を行った場合の予測分光反射率Ｒs（λ）を正確に予測する。
【００６１】
図１５は、分光反射率データベースＲＤＢの構造を模式的に例示している。本実施形態のインク量空間は６次元であるが、図の簡略化のためＣＭ面のみ図示している。分光反射率データベースＲＤＢは、インク量空間における複数の格子点のインク量セット（ｄc，ｄm，ｄy，ｄk，ｄlc，ｄlm）について実際に印刷及び測定をして得られた分光反射率Ｒ（λ）が記述されたＬＵＴとなっている。このＬＵＴは、各インク量軸を複数に分割する格子点を有している。なお、一部の格子点のみ実際に印刷及び測定をし、他の格子点については実際に印刷及び測定を行った格子点の分光反射率Ｒ（λ）に基づいて分光反射率Ｒ（λ）を予測してもよい。これにより、実際に印刷及び測定を行うカラーパッチの個数を低減させることができる。
【００６２】
分光反射率データベースＲＤＢは、被印刷物の種類毎に用意される。分光反射率Ｒ（λ）は被印刷物上に形成されたインク膜（ドット）による分光透過率と被印刷物の反射率によって決まるものであり、被印刷物の表面物性（ドット形状が依存）や反射率の影響を大きく受けるからである。
【００６３】
ＲＰＭ Ｐ３ａ２は、ＩＣＭ Ｐ３ａ１の要請に応じて分光反射率データベースＲＤＢを使用したセル分割ユール・ニールセン分光ノイゲバウアモデルによる予測を実行する。この予測にあたっては、ＩＣＭ Ｐ３ａ１から予測条件を取得し、この予測条件を設定する。例えば、被印刷物やインク量セットφを印刷条件として設定する。光沢紙を印刷用紙として予測を行う場合には、光沢紙にカラーパッチを印刷することにより作成した分光反射率データベースＲＤＢが設定される。
【００６４】
分光反射率データベースＲＤＢの設定ができると、ＩＣＭ Ｐ３ａ１から入力されたインク量セットφ（ｄc，ｄm，ｄy，ｄk，ｄlc，ｄlm）を分光プリンティングモデルに適用する。セル分割ユール・ニールセン分光ノイゲバウアモデルは、よく知られた分光ノイゲバウアモデルとユール・ニールセンモデルとに基づいている。簡略化のためＣＭＹの３種類のインクを用いた場合のモデルについて説明するが、同様のモデルを本実施形態のＣＭＹＫｌｃｌｍのインクセットを用いたモデルに拡張することができる。セル分割ユール・ニールセン分光ノイゲバウアモデルについては、Color Ｒes Appl 25, 4-19, 2000及びＲ Balasubramanian, Optimization of the spectral Neugebauer model for printer characterization, J. Electronic Imaging 8(2), 156-166 (1999)を参照。
【００６５】
図１６は、分光ノイゲバウアモデルを模式的に例示している。分光ノイゲバウアモデルでは、任意のインク量セット（ｄc，ｄm，ｄy）で印刷したときの印刷物の予測分光反射率Ｒs（λ）が以下の式で与えられる。
【数３】
2015032974.tif 000005
ここで、ａiはｉ番目の領域の面積率であり、Ｒi（λ）はｉ番目の領域の分光反射率である。添え字ｉは、インクの無い領域（ｗ）と、シアンインクのみの領域（ｃ）と、マゼンタインクのみの領域（ｍ）と、イエローインクのみの領域（ｙ）と、マゼンタインクとイエローインクが吐出される領域（ｒ）と、イエローインクとシアンインクが吐出される領域（ｇ）と、シアンインクとマゼンタインクが吐出される領域（ｂ）と、ＣＭＹの３つのインクが吐出される領域（ｋ）をそれぞれ意味している。また、ｆc，ｆm，ｆyは、ＣＭＹ各インクを１種類のみ吐出したときにそのインクで覆われる面積の割合（「インク被覆率(Ink area coverage)」と呼ぶ。）である。
【００６６】
インク被覆率ｆc，ｆm，ｆyは、図１６（Ｂ）に示すマーレイ・デービスモデルで与えられる。マーレイ・デービスモデルでは、例えばシアンインクのインク被覆率ｆcは、シアンのインク量ｄcの非線形関数であり、例えば１次元ルックアップテーブルによってインク量ｄcをインク被覆率ｆcに換算することができる。インク被覆率ｆc，ｆm，ｆyがインク量ｄc，ｄm，ｄyの非線形関数となる理由は、単位面積に少量のインクが吐出された場合にはインクが十分に広がるが、多量のインクが吐出された場合にはインクが重なり合うためにインクで覆われる面積があまり増加しないためである。他の種類のＭＹインクについても同様である。
【００６７】
分光反射率に関するユール・ニールセンモデルを適用すると、前記（３）式は以下の（４ａ）式又は（４ｂ）式に書き換えられる。
【数４】
2015032974.tif 000006
ここで、ｎは１以上の所定の係数であり、例えばｎ＝１０に設定することができる。（４ａ）式及び（４ｂ）式は、ユール・ニールセン分光ノイゲバウアモデル(Yule-Nielsen Spectral Neugebauer Model)を表す式である。
【００６８】
本実施形態で採用するセル分割ユール・ニールセン分光ノイゲバウアモデル(Cellular Yule-Nielsen Spectral Neugebauer Model)は、上述したユール・ニールセン分光ノイゲバウアモデルのインク量空間を複数のセルに分割したものである。
【００６９】
図１７（Ａ）は、セル分割ユール・ニールセン分光ノイゲバウアモデルにおけるセル分割の例を示している。ここでは、説明の簡略化のため、ＣＭインクのインク量ｄc，ｄmの２つの軸を含む２次元インク量空間でのセル分割を描いている。インク被覆率ｆc，ｆmは、上述したマーレイ・デービスモデルにてインク量ｄc，ｄmと一意の関係にあるため、インク被覆率ｆc，ｆmを示す軸と考えることもできる。白丸は、セル分割のグリッド点（「格子点」と呼ぶ。）であり、２次元のインク量（被覆率）空間が９つのセルＣ１〜Ｃ９に分割されている。各格子点に対応するインク量セット（ｄc，ｄm）は、分光反射率データベースＲＤＢに規定された格子点に対応するインク量セットとされている。すなわち、上述した分光反射率データベースＲＤＢを参照することにより、各格子点の分光反射率Ｒ（λ）を得ることができる。従って、各格子点の分光反射率Ｒ（λ）00，Ｒ（λ）10，Ｒ（λ）20・・・Ｒ（λ）33は、分光反射率データベースＲＤＢから取得することができる。
【００７０】
本実施形態では、セル分割がＣＭＹＫｌｃｌｍの６次元インク量空間で行われ、各格子点の座標も６次元のインク量セットφ（ｄc，ｄm，ｄy，ｄk，ｄlc，ｄlm）によって表される。各格子点のインク量セットφに対応する格子点の分光反射率Ｒ（λ）は、分光反射率データベースＲＤＢ（例えばコート紙のもの）から取得されることとなる。
【００７１】
図１７（Ｂ）は、セル分割モデルにて使用するインク被覆率ｆcとインク量ｄcとの関係を示している。ここでは、１種類のインクのインク量の範囲０〜ｄcmaxも３つの区間に分割され、区間毎に０から１まで単調に増加する非線形の曲線によってセル分割モデルにて使用する仮想的なインク被覆率ｆcが求められる。他のインクについても同様にインク被覆率ｆm，ｆyが求められる。
【００７２】
図１７（Ｃ）は、図１７（Ａ）の中央のセルＣ５内にある任意のインク量セット（ｄc，ｄm）にて印刷を行った場合の予測分光反射率Ｒs（λ）の算出方法を示している。インク量セット（ｄc，ｄm）にて印刷を行った場合の予測分光反射率Ｒs（λ）は、以下の式で与えられる。
【数５】
2015032974.tif 000007
【００７３】
ここで、（５）式におけるインク被覆率ｆc，ｆmは図１７（Ｂ）のグラフで与えられる値である。また、セルＣ５を囲む４つの格子点に対応する分光反射率Ｒ（λ）11，（λ）12，（λ）21，（λ）22は分光反射率データベースＲＤＢを参照することにより取得することができる。これにより、（５）式の右辺を構成するすべての値を確定することができ、その計算結果として任意のインク量セットφ（ｄc，ｄm）にて印刷を行った場合の予測分光反射率Ｒs（λ）を算出することができる。波長λを可視波長域にて順次シフトさせていくことにより、可視光領域における予測分光反射率Ｒs（λ）を得ることができる。インク量空間を複数のセルに分割すれば、分割しない場合に比べて予測分光反射率Ｒs（λ）をより精度良く算出することができる。
以上のようにして、ＲＰＭ Ｐ３ａ２は、ＩＣＭ Ｐ３ａ１の要請に応じて予測分光反射率Ｒs（λ）を予測する。
【００７４】
予測分光反射率Ｒs（λ）が得られると、色算出モジュール（ＣＣＭ）Ｐ３ａ３は当該予測分光反射率Ｒs（λ）の物体に複数の観察光源Ｌ０を照射したときの予測色彩値を算出する。この予測色彩値には、例えば、ＣＩＥ Ｌ*ａ*ｂ*色空間のＬ*ａ*ｂ*値が用いられる。予測色彩値を算出する流れは、図１０及び上記（２）式に示したものと同様である。
【数６】
2015032974.tif 000008
（６）式に示すように、予測分光反射率Ｒs（λ）に各光源の分光エネルギーのスペクトルを乗算し、等色関数による畳み込み積分をし、さらに３刺激値をＬ*ａ*ｂ*値に変換することにより、予測色彩値Ｌd，ａd，ｂdが求まる。予測色彩値は観察光源Ｌ０毎に算出される。
なお、特開2009-200820号公報記載の印刷システムは、図１に例示される本プルーフシステムＳＹ１のプルーフ機１００に相当するプリンターの印刷結果が通常想定されるどんな光源下であっても光源に依存しないような最適インク量を算出する技術である。従って、予測色彩値は、Ｄ５０光源、Ｄ５５光源、Ｄ６５光源、Ａ光源、及び、Ｆ１１光源という５種類の光源についてそれぞれ算出される。一方、本プルーフシステムＳＹ１は、印刷本機３００による印刷画像３６０（印刷物３５０）に見える色味変化を極力忠実に再現することを目標とする技術である。従って、予測色彩値は、ユーザーにより設定される観察光源の種類に限定されて算出される。
【００７５】
評価値算出モジュール（ＥＣＭ）Ｐ３ａ４は、各観察光源についてターゲット色彩値ＬD，ａD，ｂDと予測色彩値Ｌd，ａd，ｂdとの色差ΔＥを算出する。色差は、ΔＥ＝｛（Ｌd−ＬD）2＋（ａd−ａD）2＋（ｂd−ｂD）2｝1/2により算出してもよいし、ＣＩＥ ＤＥ２０００の色差式（ΔＥ2000）に基づいて算出してもよい。観察光源Ｌ０としてＦ５０，Ｆ６５，Ａ光源が選択された場合、各光源の色差をΔＥD50，ΔＥD65，ΔＥAと表記することにする。ターゲット色彩値ＬD，ａD，ｂDへの近似性を評価する評価値Ｉ（φ）は、インク使用量ｄc，ｄm，ｄy，ｄk，ｄlc，ｄlmに依存する評価関数であり、例えば、以下の式によって算出することができる。
【数７】
2015032974.tif 000009
ここで、ｉは、観察光源を表している。図８に示す例では、ｉ＝１はＤ５０光源を表し、ｉ＝２はＤ６５光源を表し、ｉ＝３はＡ光源を表す。Ｎは、選択された観察光源の数を表している。ΔＥiは、観察光源ｉの下でターゲット色彩値ＬD，ａD，ｂDと予測色彩値Ｌd，ａd，ｂdとの色差を表している。ｗiは、各観察光源下での色差ΔＥiに対する重みを表している。本実施形態では重みｗiが均等であるものとして説明するが、均等でなくてもよい。
【００７６】
評価値Ｉ（φ）は、各色差ΔＥiが小さくなると小さくなり、ターゲット色彩値と予測色彩値とが各観察光源において総合的に近いほど小さくなる性質を有している。ＩＣＭＰ３ａ１がインク量セットφをＲＰＭ Ｐ３ａ２とＣＣＭ Ｐ３ａ３とＥＣＭ Ｐ３ａ４に出力することにより、最終的に評価値Ｉ（φ）がＩＣＭ Ｐ３ａ１に返される。ＩＣＭ Ｐ３ａ１は、インク量セットφに対応する評価値Ｉ（φ）を算出することを繰り返すことにより、目的関数としての評価値Ｉ（φ）が極小化するようなインク量セットφの最適解を算出する。この最適解を算出する手法としては、例えば勾配法といった非線形最適化手法を用いることができる。
【００７７】
図１２は、ＣＩＥ Ｌ*ａ*ｂ*色空間において、各観察光源下のターゲット色彩値ＬD，ａD，ｂDと、インク量セットφが最適化されていく際の各観察光源下の予測色彩値Ｌd，ａd，ｂdの推移を示している。インク量セットφ（ｄc，ｄm，ｄy，ｄk，ｄlc，ｄlm）は、各色差ΔＥiが次第に小さくなるように最適化されていく。このようにして、観察光源毎にターゲット色彩値ＬD，ａD，ｂDに近似する色彩値の色を色再現画像１６０に再現させることが可能なインク量セットφが算出される。
【００７８】
最適化処理の終了条件は、例えば、色差ΔＥiが閾値ＴＨi以下となったときとすることができる。図８で示したように、優先度高のＤ５０光源の目標精度が「１．００Ｉ」である場合、閾値ＴＨ1は１．００とすることができる。優先度中のＤ６５光源の目標精度が「２．００Ｉ」である場合、閾値ＴＨ2は２．００とすることができる。優先度低のＤ５０光源の目標精度が「３．００Ｉ」である場合、閾値ＴＨ3は３．００とすることができる。
上記の場合、Ｄ５０光源についての色差ΔＥ1が１．００以下となり、Ｄ６５光源についての色差ΔＥ2が２．００以下となり、且つ、Ａ光源についての色差ΔＥ3が３．００以下となると、最適化処理が終了する。このようにして、予測部Ｕ２は、各観察光源ｉに設定された重み付けをターゲット色彩値への近似性の評価に適用して第二の色材ＣＬ２の使用量を予測する。このような重み付けは、ユーザーの意向をより反映させた色味変化を再現可能な色分版ＬＵＴ２００を生成可能にする。
【００７９】
（３−５）色分版ＬＵＴの生成例：
図３のＳ１１８で最適インク量ｄc，ｄm，ｄy，ｄk，ｄlc，ｄlmを算出すると、コンピューター１０は、第一の色材ＣＬ１の使用量Ｄｃ，Ｄｍ，Ｄｙ，Ｄｋと、予測された第二の色材ＣＬ２の使用量ｄc，ｄm，ｄy，ｄk，ｄlc，ｄlmと、を対応付けて色分版ＬＵＴ２００を生成する（Ｓ１２０）。
【００８０】
図１３は、上述した最適インク量算出処理により得られる種々の色分版ＬＵＴ２００の構造を模式的に例示している。色分版ＬＵＴ２００は、ＣＭＹＫの色材ＣＬ１の使用量Ｄｃ，Ｄｍ，Ｄｙ，Ｄｋと、ＣＭＹＫｌｃｌｍの色材ＣＬ２の使用量と、のＮ１組の対応関係が規定されている。例えば、観察光源としてＤ５０，Ｄ６５光源が選択された場合、Ｄ５０，Ｄ６５両光源下で印刷本機による印刷画像３６０（印刷物３５０）に見える色味変化を極力再現する色再現画像１６０を形成可能な色分版ＬＵＴ２０１が生成される。観察光源としてＤ５０，Ａ光源が選択された場合、Ｄ５０，Ａ両光源下で印刷本機による印刷画像３６０（印刷物３５０）に見える色味変化を極力再現する色再現画像１６０を形成可能な色分版ＬＵＴ２０２が生成される。観察光源としてＤ５０，Ｄ６５，Ａ光源が選択された場合、Ｄ５０，Ｄ６５，Ａ光源下で印刷本機による印刷画像３６０（印刷物３５０）に見える色味変化を極力再現する色再現画像１６０を形成可能な色分版ＬＵＴ２０３が生成される。むろん、第一の色材ＣＬ１の使用量Ｄｃ，Ｄｍ，Ｄｙ，Ｄｋが同じであっても、対応付けられる第二の色材ＣＬ２の使用量は多くの場合、異なる。
また、観察光源Ｌ０に重み付けが設定されている場合、重み付けの大きい観察光源について印刷画像３６０（印刷物３５０）に見える色味変化の色再現性が高くなる。例えば、Ａ光源の優先度よりもＤ６５光源の優先度の方が高く、Ｄ６５光源の優先度よりもＤ５０光源の優先度の方がさらに高い場合、Ｄ５０光源について印刷画像３６０（印刷物３５０）に見える色味変化の色再現性が最も高くなり、Ｄ６５光源について印刷画像３６０（印刷物３５０）に見える色味変化の色再現性が次に高くなる。
【００８１】
色分版ＬＵＴ２００を生成すると、コンピューター１０は、色分版ＬＵＴ２００を色分版ＬＵＴデータベースＤＢ２に格納して（Ｓ１２２）、色分版ＬＵＴ生成処理を終了させる。生成される色分版ＬＵＴは、ユーザーにより設定された複数の観察光源下で印刷本機３００による印刷画像３６０（印刷物３５０）に見える色味変化を極力忠実に再現した色再現画像１６０を形成可能である。色分版ＬＵＴデータベースＤＢ２には、設定された観察光源の組合せ毎に色分版ＬＵＴ２００が記憶される。プルーフ機１００は、選択された色分版ＬＵＴ２００を記憶する。
【００８２】
（３−６）色再現画像を形成する例：
図１４は、上記色分版ＬＵＴ２００を記憶したプルーフ機（画像形成装置）１００で行われる色再現画像出力制御処理を例示している。この処理は、例えば、色再現画像１６０の形成要求をプルーフ機１００が受け付けたときに開始する。
処理が開始すると、プルーフ機１００は、印刷本機３００で印刷物３５０の形成に使用されるＣＭＹＫの色材ＣＬ１の使用量Ｄｃ，Ｄｍ，Ｄｙ，Ｄｋに対応した入力データを取得する（Ｓ３０２）。必要に応じて、Ｓ３０４では、色分版処理に使用する色分版ＬＵＴ２００を選択する。
【００８３】
Ｓ３０６では、色分版ＬＵＴ２００を参照して、ＣＭＹＫの色材使用量Ｄｃ，Ｄｍ，Ｄｙ，Ｄｋのデータを、プルーフ機１００で色再現画像１６０の形成に使用されるＣＭＹＬｌｃｌｍの色材ＣＬ２の使用量ｄc，ｄm，ｄy，ｄk，ｄlc，ｄlmのデータに変換する。色材使用量Ｄｃ，Ｄｍ，Ｄｙ，Ｄｋに一致する色分版ＬＵＴ２００の入力点が無い場合には、ＣＭＹＫ色空間において色材使用量Ｄｃ，Ｄｍ，Ｄｙ，Ｄｋに近隣する複数の入力点のそれぞれに対応したＣＭＹＬｌｃｌｍの色材使用量ｄc，ｄm，ｄy，ｄk，ｄlc，ｄlmを用いてＤｃ，Ｄｍ，Ｄｙ，Ｄｋに対応するｄc，ｄm，ｄy，ｄk，ｄlc，ｄlmを補間すればよい。このようにして、色分版ＬＵＴ２００に従ってＣＭＹＫの色材使用量Ｄｃ，Ｄｍ，Ｄｙ，ＤｋをＣＭＹＬｌｃｌｍの色材使用量ｄc，ｄm，ｄy，ｄk，ｄlc，ｄlmに変換することができる。
【００８４】
Ｓ３０８では、色材使用量ｄc，ｄm，ｄy，ｄk，ｄlc，ｄlmのデータに対してハーフトーン処理を行い、使用量ｄc，ｄm，ｄy，ｄk，ｄlc，ｄlmに対応したドットの形成状況を表すデータを生成する。ハーフトーン処理には、ディザ法、誤差拡散法、濃度パターン法、等を用いることができる。Ｓ３１０では、得られたドットの形成状況を表すデータを記録ヘッド２１の各走査パス及び各ノズル２１ａに割り振って出力制御データを生成する。記録ヘッド２１は、前記出力制御データに従って被印刷物Ｍ２にインクドットを形成し、色再現画像１６０を有するプルーフ１５０を形成する。
【００８５】
図１３を参照して説明すると、例えば、色分版ＬＵＴ２００を生成するためにＤ５０光源とＤ６５光源が設定された場合、これらＤ５０，Ｄ６５光源下で印刷本機３００による印刷画像３６０（印刷物３５０）に見える色味変化を極力忠実に再現する色分版ＬＵＴ２０１に従って色再現画像１６０が形成される。色分版ＬＵＴ２００を生成するためにＤ５０光源とＡ光源が設定された場合には、これらＤ５０，Ａ光源下で印刷本機３００による印刷画像３６０（印刷物３５０）に見える色味変化を極力忠実に再現する色分版ＬＵＴ２０２に従って色再現画像１６０が形成される。色分版ＬＵＴ２００を生成するためにＤ５０光源とＤ６５光源とＡ光源が設定された場合には、これらＤ５０，Ｄ６５，Ａ光源下で印刷本機３００による印刷画像３６０（印刷物３５０）に見える色味変化を極力忠実に再現する色分版ＬＵＴ２０３に従って色再現画像１６０が形成される。特開2009-200820号公報記載の技術は、複数の観察光源下で印刷本機３００による印刷画像３６０（印刷物３５０）に見える色味変化を忠実に再現する思想が無い。
【００８６】
（３−７）ターゲット色彩値を修正する例：
上述した図３のＳ１０２〜Ｓ１１０，Ｓ１１６〜Ｓ１２２の処理は、複数の観察光源下で印刷本機３００による印刷画像３６０（印刷物３５０）に見える色味変化を極力忠実に再現するものである。しかし、場合によっては、印刷画像３６０（印刷物３５０）に見える色味変化を忠実に再現し過ぎないようにした方が好ましいことがある。
【００８７】
図１８は、印刷本機３００による印刷画像３６０（印刷物３５０）のグレーをある観察光源で見たときのＬ*ａ*ｂ*色空間におけるａ*−Ｌ*平面上の色彩値を例示している。グレーが厳密な無彩色であればＬ*値が変わってもａ*＝０となるはずである。しかし、印刷本機３００において被印刷物に合わせてＣＭＹＫの色材を混ぜて印刷物を形成するとき、特に、オフセット印刷機やグラビア印刷機のように使用する色材の種類が少ない場合には、印刷物のグレーが最適とは言えないことが生じる。むろん、このような場合にも印刷物のグレーをプルーフ機で忠実に再現してもよいが、色再現画像１６０の画質を向上させるために色変換ＬＵＴ ＰＲ０（図９参照。）のターゲット色彩値を修正することができると、ユーザーにとって利便性が向上することになる。
【００８８】
図１８に例示する印刷画像３６０（印刷物３５０）のグレーは、「紙白」で示される最高明度ＬHからＬH-Mまで明度が低くなるにつれてａ*値が大きくなり、中間明度ＬMで一旦ａ*値が小さくなってからＬM-Lまで明度が低くなるにつれて再びａ*値が大きくなり、最低明度ＬLでａ*値が小さくなっている。このような特性を忠実に色再現すると、中間明度の色調がニュートラルであるのにそれ以外の明度の色調が赤っぽくなり、違和感を生じさせる。そこで、色再現画像１６０のグレーについては、中間明度ＬM及びその付近の明度ＬH-M〜ＬM-Lのａ*値を元々の最高ａ*値以下の範囲内で大きくしてもよい。すると、ターゲットでは実現し得なかった色調で色合わせを行うことができる。図１８には、プルーフ機１００による色再現画像１６０のグレーを二点鎖線で例示している。
むろん、グレー以外にも、色再現画像１６０の画質を向上させるために色変換ＬＵＴ ＰＲ０のターゲット色彩値を修正してもよい。
【００８９】
本色分版ＬＵＴ生成装置Ｕ０は、ユーザーの優先度を反映する評価関数を用いることで、実現するメタメリックマッチング度合いを光源毎に調整することができる。また、優先度の高い光源での色再現が好ましくない場合、当該光源における入力格子点に対するターゲット色彩値の変更が可能である。さらに、優先度高の光源下でのターゲット色彩値の変更に伴い、上記色補間演算装置を用いることにより、他光源でのターゲット色彩値を新たに算出して設定することができる。
図４は、図３のＳ１１４で行われるターゲット色彩値修正処理を例示している。処理の前提として、設定された複数の観察光源Ｌ０のうち、ターゲット色彩値をユーザーが直接修正する観察光源を第一光源と呼び、この第一光源を除いた観察光源Ｌ０を第二光源と呼ぶ。前記第一光源は、複数の観察光源Ｌ０の中で最も重要視する観察光源が好ましい。そこで、図８で示した設定画面５００においては、例えば、優先度の高低が選択されている場合には最も優先度の高い観察光源を第一光源に設定し、優先度の高低が選択されていない場合には第１光源選択欄５２１で選択された観察光源を第一光源に設定することにしている。図８に示す例では、優先度高のＤ５０光源が第一光源に設定され、優先度中のＤ６５光源と優先度小のＡ光源とが第二光源に設定される。以下、この例に従って、説明する。
【００９０】
図９を参照して説明すると、コンピューター１０は、まず、第一光源（Ｄ５０光源）についての色変換ＬＵＴ ＰＲ１に規定されるターゲット色彩値ＬD-D50，ａD-D50，ｂD-D50の第一修正値（Ｌ’D-D50，ａ’D-D50，ｂ’D-D50とする。）の入力を受け付ける（Ｓ２０２）。この処理は、例えば、色変換ＬＵＴ ＰＲ１のデータ一覧を表示し修正したい入力点のターゲット色彩値への操作を操作入力装置５０から受け付ける処理とすることができる。後の処理を行うため、修正前の色変換ＬＵＴ ＰＲ１のデータは残しておく。なお、図４には、Ｄ５０光源が第一光源に選択された例として、入力を受け付けた第一修正値をＬ*’ａ*’ｂ*’(D50)と示している。
【００９１】
Ｓ２０４〜Ｓ２０６では、第二光源（Ｄ６５，Ａ光源）についての色変換ＬＵＴ ＰＲ２，ＰＲ３に規定されるターゲット色彩値を第一修正値に合わせて自動的に修正する処理を行う。修正前の色変換ＬＵＴ ＰＲ０は、Ｄ５０光源について、印刷本機３００で使用されるＣＭＹＫの色材ＣＬ１の使用量Ｄｃ，Ｄｍ，Ｄｙ，Ｄｋと、デバイス非依存の均等色空間の色彩値ＬD-D50，ａD-D50，ｂD-D50と、の対応関係が忠実に規定されている。そこで、Ｓ２０４では、修正前の第一光源（Ｄ５０光源）についての色変換ＬＵＴ ＰＲ１に従って第一修正値Ｌ’D-D50，ａ’D-D50，ｂ’D-D50から第一の色材ＣＬ１の変換使用量（Ｄｃ’，Ｄｍ’，Ｄｙ’，Ｄｋとする。）を求める。変換使用量Ｄｃ’，Ｄｍ’，Ｄｙ’，Ｄｋは、第一修正値Ｌ’D-D50，ａ’D-D50，ｂ’D-D50の色彩値を第一光源下で印刷本機３００による印刷物３５０に対して忠実に実現させる第一の色材ＣＬ１の使用量である。従って、後述するＳ２０６のように第一の色材ＣＬ１の変換使用量Ｄｃ’，Ｄｍ’，Ｄｙ’，Ｄｋを第二光源についての色変換ＬＵＴ ＰＲ２，ＰＲ３に従って色彩値に変換すれば、得られる第二光源下の色彩値は、第一光源下の色の変更を忠実に第二光源下の色の変更に反映させる色彩値となる。
【００９２】
ここで、ＣＭＹＫの色材（第一の色材ＣＬ１）は、Ｋの色材（第三の色材ＣＬ３）と、Ｋの色に合わせて置き換え可能なＣＭＹの色材（第四の色材ＣＬ４）と、を含んでいる。そこで、第一修正値Ｌ’D-D50，ａ’D-D50，ｂ’D-D50から変換使用量Ｄｃ’，Ｄｍ’，Ｄｙ’，Ｋを一意に決定するため、第三の色材ＣＬ３の色であるＫについては修正前の色変換ＬＵＴ ＰＲ１の色材使用量Ｄｋを保持することにする。第一修正値Ｌ’D-D50，ａ’D-D50，ｂ’D-D50に一致する色変換ＬＵＴ ＰＲ１の出力点が無い場合には、Ｌ*ａ*ｂ*色空間において第一修正値Ｌ’D-D50，ａ’D-D50，ｂ’D-D50に近隣する複数の出力点のそれぞれに対応したＣＭＹＫの色材使用量Ｄｃ，Ｄｍ，Ｄｙ，Ｄｋを用いてＬ’D-D50，ａ’D-D50，ｂ’D-D50に対応するＤｃ’，Ｄｍ’，Ｄｙ’，Ｋを補間すればよい。
このようにして、Ｋ（第三の色材ＣＬ３）の色に合わせて置き換え可能なＣＭＹ（第四の色材ＣＬ４）が含まれるＣＭＹＫ（第一の色材ＣＬ１）の入力点を有する色変換ＬＵＴであっても、容易にＣＭＹＫ（第一の色材ＣＬ１）の変換使用量Ｄｃ’，Ｄｍ’，Ｄｙ’，Ｋを求めることができる。
【００９３】
Ｓ２０６では、設定された複数の観察光源Ｌ０から第一光源を除いた第二光源（Ｄ６５，Ａ光源）についての色変換ＬＵＴ ＰＲ２，ＰＲ３に従って変換使用量Ｄｃ’，Ｄｍ’，Ｄｙ’，Ｋから第二修正値を求める。Ｄ６５光源について説明すると、Ｄ６５光源についての色変換ＬＵＴ ＰＲ２を参照して変換使用量Ｄｃ’，Ｄｍ’，Ｄｙ’，Ｋを第二修正値Ｌ’D-D65，ａ’D-D65，ｂ’D-D65に変換する。変換使用量Ｄｃ’，Ｄｍ’，Ｄｙ’，Ｋに一致する色変換ＬＵＴ ＰＲ２の入力点が無い場合には、ＣＭＹＫ色空間において変換使用量Ｄｃ’，Ｄｍ’，Ｄｙ’，Ｋに近隣する複数の入力点のそれぞれに対応した色彩値を用いてＤｃ’，Ｄｍ’，Ｄｙ’，Ｋに対応するＬ’D-D65，ａ’D-D65，ｂ’D-D65を補間すればよい。Ａ光源ついても、同様にして、色変換ＬＵＴ ＰＲ３を参照して変換使用量Ｄｃ’，Ｄｍ’，Ｄｙ’，Ｋを第二修正値Ｌ’D-A，ａ’D-A，ｂ’D-Aに変換することができる。
【００９４】
Ｓ２０８では、第二光源（Ｄ６５，Ａ光源）について求められた第二修正値について変更不要か否かを判断する。この処理は、例えば、例えば、色変換ＬＵＴ ＰＲ２，ＰＲ３のデータ一覧、及び、変更不要の可否の問合せ画面を表示し該問合せ画面への操作を操作入力装置５０から受け付ける処理とすることができる。変更要であると判断した場合、コンピューター１０は、Ｓ２０２〜Ｓ２０８の処理を繰り返す。変更不要であると判断した場合、コンピューター１０は、各観察光源Ｌ０についての色変換ＬＵＴ ＰＲ０に規定されるターゲット色彩値に修正値を適用し（Ｓ２１０）、ターゲット色彩値修正処理を終了させる。これにより、第一光源（Ｄ５０光源）についての色変換ＬＵＴ ＰＲ１に規定されるターゲット色彩値には、第一修正値Ｌ’D-D50，ａ’D-D50，ｂ’D-D50が適用される。Ｄ６５光源についての色変換ＬＵＴ ＰＲ２に規定されるターゲット色彩値には、第二修正値Ｌ’D-D65，ａ’D-D65，ｂ’D-D65が適用される。Ａ光源についての色変換ＬＵＴ ＰＲ３に規定されるターゲット色彩値には、第二修正値Ｌ’D-A，ａ’D-A，ｂ’D-Aが適用される。
【００９５】
ターゲット色彩値修正処理が終了すると、コンピューター１０は、図３のＳ１１６で観察光源毎の色変換ＬＵＴ ＰＲ０のデータを最適インク量算出モジュール群に引き渡し、Ｓ１１８でＣＭＹＫｌｃｌｍの色材ＣＬ２の使用量を予測し、Ｓ１２０で色分版ＬＵＴ２００を生成し、Ｓ１２２で色分版ＬＵＴデータベースＤＢ２に格納する。
【００９６】
上記ターゲット色彩値修正処理により、色変換ＬＵＴ ＰＲ０に規定されるターゲット色彩値がユーザーの意向に応じて修正される。従って、本色分版ＬＵＴ生成装置Ｕ０は、便利である。また、第一光源についての色変換ＬＵＴ ＰＲ１に規定されるターゲット色彩値を修正するだけで第二光源についての色変換ＬＵＴ ＰＲ２，ＰＲ３に規定されるターゲット色彩値も修正される。従って、上記ターゲット色彩値修正処理は、第一光源（標準光源）下での色再現画像の見えを考慮しながら第二光源下での色再現画像の見えも合わせることが可能な色分版ＬＵＴ２００を生成する好適な例である。
【００９７】
（３−８）上述した実施形態の作用、及び、効果：
以上説明したように、複数の観察光源Ｌ０について印刷色プロファイル（ＰＲ０）に規定されたターゲット色彩値への近似性を評価する評価値Ｉ（φ）に基づいて、最適な第二の色材ＣＬ２の使用量ｄc，ｄm，ｄy，ｄk，ｄlc，ｄlmが予測される。最適な色材使用量ｄc，ｄm，ｄy，ｄk，ｄlc，ｄlmは、複数の観察光源Ｌ０下で印刷本機３００による印刷画像３６０（印刷物３５０）に見える色味変化を極力忠実に再現する色材使用量であり、色再現画像１６０に形成される第二の色材ＣＬ２の色彩値が観察光源Ｌ０毎に前記ターゲット色彩値に近似するように予測される。生成される色分版ＬＵＴ２００は、第一の色材ＣＬ１の使用量Ｄｃ，Ｄｍ，Ｄｙ，Ｄｋと、予測された第二の色材ＣＬ２の使用量ｄc，ｄm，ｄy，ｄk，ｄlc，ｄlmと、が対応付けられている。従って、上述した技術は、複数の観察光源Ｌ０下で印刷本機３００による印刷画像３６０（印刷物３５０）に見える色味変化をより忠実に再現可能な色分版ＬＵＴ２００、色分版ＬＵＴ２００を記録したコンピューター読み取り可能な媒体、色分版ＬＵＴ２００を生成する色分版ＬＵＴ生成装置Ｕ０、色分版ＬＵＴ生成方法、等の有用な技術を提供することができる。
【００９８】
また、上述した技術により、特開2009-200820号公報記載の印刷システムではできなかった４次元の色分版ＬＵＴを生成することができる。そのうえ、ＣＭＹＫのカラーパッチが存在しない任意の色彩値をターゲットに設定することができる自由度の高さがあるので、グレー階調等の色転びを解消する手段を講じることができる。さらに、基準光源での色階調性の良さと、複数光源下のメタメリックマッチング度合いと、の両方を考慮して最適インク量を決定することができる。５種類の光源を用いる特開2009-200820号公報記載の技術では、基準光源での色階調性の良さを考慮した最適インク量を決定することができない。
【００９９】
（４）変形例：
本発明は、種々の変形例が考えられる。
例えば、色分版ＬＵＴ２００を記憶しているコンピューターにプリンターといった記録装置が接続され、前記色分版ＬＵＴ２００に従って第一の色材の使用量から第二の色材の使用量を求め、求めた第二の色材の使用量となるように記録装置で色再現画像を形成する場合、コンピューターと記録装置が画像形成装置を構成する。画像形成装置は、記録装置以外にも、ディスプレイといった画像出力装置等が含まれる。色再現画像には、画像出力装置の画面上の画像が含まれる。
【０１００】
印刷機で印刷物の形成に使用される第一の色材は、ＣＭＹＫの組合せ以外にも、５色の組合せ、３色の組合せ、等でもよい。第一の色材がＣＭＹの組合せである場合、図４で示したターゲット色彩値修正処理のＳ２０４の変換処理で値が保持される第三の色材が存在しないことになるが、本発明を適用可能である。画像形成装置で色再現画像の形成に使用される第二の色材は、ＣＭＹＫｌｃｌｍの組合せ以外にも、７色以上の組合せでもよいし、５色以下の組合せでもよい。第二の色材として使用可能な色材の色には、ＣＭＹＫｌｃｌｍ以外にも、Ｏｒ（オレンジ）、Ｇｒ（グリーン）、Ｂ（ブルー）、Ｖ（バイオレット）、ｄｙ（ダークイエロー）、ｌｋ（ライトブラック）、ｌｌｋ（ライトライトブラック）、無着色、等が含まれる。無着色の色材には、被印刷物に光沢を付与する色材、有色の色材を保護する色材、等が含まれる。
第一の色材に含まれる第三の色材と第四の色材の組合せは、ＫとＣＭＹの組合せ以外にも、Ｋの濃淡の組合せ、Ｃの濃淡の組合せ、Ｍの濃淡の組合せ、Ｙの濃淡の組合せ、等でもよい。
【０１０１】
上述した処理は、順番を入れ替える等、適宜、変更可能である。例えば、図３の色分版ＬＵＴ生成処理において、Ｓ１０６の処理は、Ｓ１０２の処理の前に行われてもよい。
Ｓ１０４で受け付ける重み付けは、評価値Ｉ（φ）を求める上記（７）式に用いる重みｗiでもよい。この場合、Ｓ１１８の最適化の終了条件は、インク量セットφ更新の繰り返し回数としてもよいし、評価値Ｉ（φ）自体の閾値としてもよい。
【０１０２】
色分版ＬＵＴは、ＣＭＹＫ色空間といった第一の色材ＣＬ１の色を表す色空間の全ての領域を変換可能とされる以外にも、グレー領域や肌色領域等といった第一の色材ＣＬ１の色を表す空間の一部の領域のみ変換可能とされてもよい。このような一部の領域のみ変換可能な色分版ＬＵＴも、本発明の色分版ＬＵＴに含まれる。
【０１０３】
なお、複数の観察光源Ｌ０のそれぞれについて、第一の色材ＣＬ１の使用量と、観察光源Ｌ０におけるターゲット色彩値と、の対応関係を規定した印刷色プロファイル（ＰＲ０）を取得することができれば、Ｓ１０２〜Ｓ１１０の処理の一部を省略可能である。例えば、Ｎ１個の入力点を有する色変換ＬＵＴ ＰＲ０を複数の観察光源Ｌ０について用意することができれば、Ｓ１０６〜Ｓ１１０の処理の代わりに光源数分の色変換ＬＵＴ ＰＲ０を取得する処理を行ってもよい。印刷条件が決まっていれば、Ｓ１０５の処理を省略可能である。重み付けが決まっていれば、Ｓ１０４の処理を省略可能である。観察光源が設定されていれば、Ｓ１０３の処理を省略可能である。
簡易な処理として、Ｓ１１２〜Ｓ１１４の処理を省略することも可能である。
【０１０４】
（５）結び：
以上説明したように、本発明によると、種々の態様により、複数の観察光源下で印刷機による印刷物に見える色味変化をより忠実に再現可能な色分版ルックアップテーブルを生成する技術等を提供することができる。むろん、従属請求項に係る構成要件を有しておらず独立請求項に係る構成要件のみからなる技術等でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【０１０５】
１０…コンピューター、１００…プルーフ機（画像形成装置）、１５０…プルーフ、１６０…色再現画像、２００，２０１，２０２，２０３…色分版ルックアップテーブル、３００…印刷本機（印刷機）、３５０，３５１…印刷物、３６０…印刷画像、３６１…チャート、３６２…パッチ、５００…設定画面、８００…測色機、ＣＬ１…第一の色材、ＣＬ２…第二の色材、ＣＬ３…第三の色材、ＣＬ４…第四の色材、
ＤＢ１…元色変換ルックアップテーブルデータベース、ＤＢ２…色分版ルックアップテーブルデータベース、Ｇ１，Ｇ２…入力点、Ｌ０，Ｌ１，Ｌ２，Ｌ３…観察光源、Ｍ１，Ｍ２…被印刷物、ＰＢ０，ＰＢ１，ＰＢ２，ＰＢ３，ＰＢ４…元色変換ルックアップテーブル（元印刷色プロファイル）、ＰＲ０，ＰＲ１，ＰＲ２，ＰＲ３…色変換ルックアップテーブル（印刷色プロファイル）、ＳＹ１…プルーフシステム、Ｕ０…色分版ルックアップテーブル生成装置、Ｕ１…印刷色プロファイル取得部、Ｕ２…予測部、Ｕ３…生成部、Ｕ４…観察光源選択部、Ｕ５…重み付け入力部、Ｕ６…ターゲット色彩値修正部。
【図１】
2015032974.tif 000010
【図２】
2015032974.tif 000011
【図３】
2015032974.tif 000012
【図４】
2015032974.tif 000013
【図５】
2015032974.tif 000014
【図６】
2015032974.tif 000015
【図７】
2015032974.tif 000016
【図８】
2015032974.tif 000017
【図９】
2015032974.tif 000018
【図１０】
2015032974.tif 000019
【図１１】
2015032974.tif 000020
【図１２】
2015032974.tif 000021
【図１３】
2015032974.tif 000022
【図１４】
2015032974.tif 000023
【図１５】
2015032974.tif 000024
【図１６】
2015032974.tif 000025
【図１７】
2015032974.tif 000026
【図１８】
2015032974.tif 000027